(57)【要約】【課題】本発明は、デザイン等の制約により、操作パネル部上のキー数を少なくしたり、表示パネルを大きくさせたりした際にも、高い操作性を維持させる。【解決手段】短縮機能キー９が長押しされたとき、コマンドノブ８で指定された短縮機能番号と、現在のソースを示すソース番号と、現在の機能までの操作手順と、現在の機能を示す機能名称とを対にした短縮機能データを作成して、短縮機能メモリ１６に登録し、短縮機能キー９が短押しされたとき、短縮機能メモリ１６に登録されている各短縮機能データの中から、コマンドノブ８で指定された短縮機能番号を含む短縮機能データを読み出して、この短縮機能データで指定されたソースを選択し、操作手順で指定された操作を自動的に実行させ、機能を実現させる。【選択図】図２
2010159016.tif 000002
【特許請求の範囲】
【請求項１】
車両に搭載され、操作パネル部の操作内容に応じて、各ソースの中から指定されたソースを選択し、このソースが持つ各機能の中から指定された機能を実行する車載機器において、
前記車両の電源がオフにされたときにも、記憶内容を保持する不揮発性記憶素子によって構成される短縮機能メモリと、
前記操作パネル部が操作されて、短縮機能登録指示が出されたとき、現在、使用しているソース、機能に対するソース番号と現在の機能に至るまでの操作手順とを対にした短縮機能データを作成して、前記短縮機能メモリに登録する短縮機能登録部と、
前記操作パネル部が操作されて、短縮機能呼出し指示が出されたとき、前記短縮機能メモリに登録されている各短縮機能データの中から、指定された短縮機能データを呼び出すとともに、この短縮機能データで示されるソース番号のソースを選択し、操作手順で指定された操作を実行して、機能を実現する短縮機能呼出し部と、
を備えたことを特徴とする車載機器。
【請求項２】
請求項１に記載の車載機器において、
前記短縮機能登録部は、前記操作パネル部上の短縮機能キーが長押しされたとき、短縮機能登録指示が出されたと判定し、前記操作パネル部上のコマンドノブで指定された機能短縮番号と現在のソース、機能に対応するソース番号と現在の機能に至るまでの操作手順とを対にした短縮機能データを生成して、前記短縮機能メモリに登録し、
前記短縮機能呼出し部は、前記操作パネル部上の短縮機能キーが短押しされたとき、短縮機能呼出しが指示されたと判定し、前記短縮機能メモリに登録されている各短縮機能データの中から、前記操作パネル部上のコマンドノブで指定された短縮機能番号を含む短縮機能データを呼び出し、この短縮機能データで示されるソース番号のソースを選択し、操作手順で指定された操作を実行して、機能を実現する、
ことを特徴とする車載機器。
【請求項３】
請求項１又は２に記載の車載機器において、
前記ソースは、チューナ部、ＣＤ装置、デジタルオーディオプレーヤ装置、Bluetooth装置のうち、少なくとも１つ以上を含む、
ことを特徴とする車載機器。
【発明の詳細な説明】
【技術分野】
【０００１】
本発明は、カー・オーディオ機器等の車載機器に関し、特にショートカット機能を持たせて操作手順を簡素化させ、操作性を向上させた車載機器に関する。
【背景技術】
【０００２】
自動車等の車両に搭載されるカー・オーディオ機器等の車載機器では、ソース選択キー等を操作して、情報元（ソース）となる内蔵チューナ、ＣＤドライブ等を選択した後、各ソースに割り当てられている各機能、各放送局等を選択して、楽曲等を再生するように構成されている。
また、近年、車載機器として、ＣＤの再生、内蔵チューナの楽曲出力だけでなく、Bluetooth等の小電力近距離無線回線等を介して、車内外の電話機等との間で通信する機能等を持つ多機能カー・オーディオ機器も開発されている。
従来技術として特許文献１には、受信機における受信チャネルの切換に際してのユーザ操作をより容易とする受信機及び受信方法について開示されている。
【特許文献１】特開２００６−２９５７７７公報
【発明の開示】
【発明が解決しようとする課題】
【０００３】
ところで、このような多機能カー・オーディオ機器等の車載機器では、面積が極限されている操作パネル上に、必要最少数の各種操作キー、ＬＣＤ表示器等の部品を配置しなければならないことから、使用したい機能を呼び出すときの操作手順が複雑になってしまうという問題があった。
例えば、オーディオコントロール機能の“バランス”設定を行うときには、ソース選択キー、機能選択キー等、特定のキーを複数回、操作しなければならず、キー操作回数が多くなり、手間が掛かりすぎるという問題があった。
また、特定のＦＭ放送を聞きたいときには、ソースを切り替える作業を行ってＦＭチューナを選択した後で、プリセットされているリストの中から聞きたいＦＭ放送に対応する放送局を選択する作業を行わなければならず、キー操作回数が多くなり、手間が掛かりすぎるという問題があった。
また、ｉＰｏｄ（登録商標）装置等に登録されている楽曲、例えば“ｉＴｕｎｅｓ”（登録商標）等の楽曲配信サイトからダウンロードされたアルバムに含まれている楽曲等を再生するときには、ダウンロードした楽曲をアーティスト、アルバムを手掛かりとして大分類した後、アーティスト名、アルバム名等で、各楽曲を登録させていることが多いことから、分類数、分類階層の数だけ、キー操作を行わなければならず、特定の楽曲を再生させるのに手間がかかりすぎるという問題があった。
また、Bluetooth装置等が持つ小電力近距離無線回線と、携帯電話回線等とを使用して、車外の携帯電話機、固定電話機等を呼び出し、イヤホーン型等の送受話器を使用したハンズフリー通話を行うときには、複数のキーを複数回操作して、Bluetooth装置に登録されている電話帳を開き、その中から目的の電話番号を選択するという作業を行わなければならず、手間が掛かりすぎるという問題があった。
【０００４】
本発明は上記の事情に鑑みてなされたものであり、チューナ部、ＣＤ装置、ｉＰｏｄ（登録商標）装置、Bluetooth装置等、どのようなソースであっても（ソースの違いを越えて）、少ない操作数で特定の機能を確実に選択し、使用頻度の高い機能を呼び出すことができ、これによってソース数、機能数が増えたときでも、高い操作性を維持させることができる車載機器を提供することを目的としている。
また、短縮操作により使用頻度の高い機能を呼び出すことができ、これによってデザイン等の制約により、操作パネル部上のキー数を少なくしたり、表示パネルを大きくさせたりした際にも、高い操作性を維持させることができる車載機器を提供することを目的としている。
また、操作パネル部上に設けられた短縮機能キー、コマンドノブを操作させるだけで、使用頻度の高い機能の登録、呼び出し等を行わせることができ、これによってデザイン等の制約により、操作パネル部上のキー数を少なくしたり、表示パネルを大きくした際にも、高い操作性を維持することができる車載機器を提供することを目的としている。
【課題を解決するための手段】
【０００５】
上記の目的を達成するために本発明は、請求項１では、車両に搭載され、操作パネル部の操作内容に応じて、各ソースの中から指定されたソースを選択し、このソースが持つ各機能の中から指定された機能を実行する車載機器において、前記車両の電源がオフにされたときにも、記憶内容を保持する不揮発性記憶素子によって構成される短縮機能メモリと、前記操作パネル部が操作されて、短縮機能登録指示が出されたとき、現在、使用しているソース、機能に対するソース番号と現在の機能に至るまでの操作手順とを対にした短縮機能データを作成して、前記短縮機能メモリに登録する短縮機能登録部と、前記操作パネル部が操作されて、短縮機能呼出し指示が出されたとき、前記短縮機能メモリに登録されている各短縮機能データの中から、指定された短縮機能データを呼び出すとともに、この短縮機能データで示されるソース番号のソースを選択し、操作手順で指定された操作を実行して、機能を実現する短縮機能呼出し部とを備えたことを特徴としている。
【０００６】
また、請求項２では、請求項１に記載の車載機器において、前記短縮機能登録部は、前記操作パネル部上の短縮機能キーが長押しされたとき、短縮機能登録指示が出されたと判定し、前記操作パネル部上のコマンドノブで指定された機能短縮番号と現在のソース、機能に対応するソース番号と現在の機能に至るまでの操作手順とを対にした短縮機能データを生成して、前記短縮機能メモリに登録し、前記短縮機能呼出し部は、前記操作パネル部上の短縮機能キーが短押しされたとき、短縮機能呼出しが指示されたと判定し、前記短縮機能メモリに登録されている各短縮機能データの中から、前記操作パネル部上のコマンドノブで指定された短縮機能番号を含む短縮機能データを呼び出し、この短縮機能データで示されるソース番号のソースを選択し、操作手順で指定された操作を実行して、機能を実現することを特徴としている。
また、請求項３では、請求項１又は２に記載の車載機器において、前記ソースは、チューナ部、ＣＤ装置、デジタルオーディオプレーヤ装置、Bluetooth装置のうち、少なくとも１つ以上を含むことを特徴としている。
【発明の効果】
【０００７】
本発明によれば、短縮操作により、ソースの違いを越えて使用頻度の高い機能を直接呼び出すことができ、これによってデザイン等の制約により、操作パネル部上のキー数を少なくしたり、表示パネルを大きくさせたりした際にも、高い操作性を維持させることができる。
また、操作パネル部上にもうけられた短縮機能キー、コマンドノブを操作させるだけで、使用頻度の高い機能の登録、呼び出し等を行わせることができ、これによってデザイン等の制約により、操作パネル部上のキー数を少なくしたり、表示パネルを大きくさせたりした際にも、高い操作性を維持させることができる。
また、チューナ部、ＣＤ装置、ｉＰｏｄ（登録商標）装置、Bluetooth装置等、どのようなソースでも、少ない操作数で、選択し、使用頻度の高い機能を呼び出すことができ、これによってソース数、機能数が増えたときでも、高い操作性を維持させることができる。
【発明を実施するための最良の形態】
【０００８】
以下、本発明を図面に示した実施の形態により詳細に説明する。
図１は本発明の一実施形態に係る車載機器の構成を示す斜視図である。
この図に示す車載機器１は、箱状に形成されるケース２と、ケース２の前面に配置される操作パネル部３と、ケース２内に配置され操作パネル部３の操作内容に応じた処理を行うメインコントローラ４と、ケース２内に配置されメインコントローラ４からの指示に応じて放送局を選択して電波を受信し、メインコントローラ４に楽音信号を供給するチューナ部５と、ケース２の後面に配置され、図２に示すようにＣＤ装置１８、ｉＰｏｄ（登録商標）装置１９、Bluetooth装置２０、フロントスピーカ群２２、リアスピーカ群２３等に接続されるコネクタ６とを備えている。
【０００９】
操作パネル部３上の操作キーが操作されたとき、操作内容に応じてチューナ部５、ＣＤ装置１８、ｉＰｏｄ（登録商標）装置１９、Bluetooth装置２０が制御され、フロントスピーカ群２２、リアスピーカ群２３から楽音を出力させる処理や、Bluetooth装置２０を介して送受話器２１を使用したハンズフリー通話処理等が行われる。
操作パネル部３は、ケース２前面に嵌め込まれる操作パネル７と、操作パネル７上の左側に配置され運転者等によって回転操作されたときにインクリメント信号、デクリメント信号を生成してメインコントローラ４に供給し、また運転者等によって押されたときに決定信号を生成してメインコントローラ４に供給するコマンドノブ８と、操作パネル７上の中央下側に配置され運転者等によって押されているときに短縮機能指示信号を生成してメインコントローラ４に供給する短縮機能キー９と、操作パネル７上の左下側、右下側、右側等に配置され、運転者等によって押されているときにサーチ信号、ソース選択信号、アップ信号、ダウン信号等を生成してメインコントローラ４に供給する複数のキー１０と、操作パネル７上の中央に配置されてメインコントローラ４から出力される表示信号の内容を表示するＬＣＤ表示器（液晶表示器）１１とを備えている。
コマンドノブ８、短縮機能キー９、各キー１０が操作されたとき、インクリメント信号、デクリメント信号、サーチ信号、ソース選択信号、アップ信号、ダウン信号等が生成されて、メインコントローラ４に供給される。また、メインコントローラ４から表示信号が出力されているとき、ＬＣＤ表示器１１上に表示信号の内容が表示される。
【００１０】
また、メインコントローラ４は、図２に示す如く書き換え可能な不揮発性記憶素子（例えば、フラッシュメモリ、電池等でバックアップされたＣＭＯＳ等）等によって構成され、工場出荷段階で車載機器１の基本的な機能を規定する基本データが格納される基本機能メモリ１５と、書き換え可能な不揮発性記憶素子（例えば、フラッシュメモリ、電池等でバックアップされたＣＭＯＳ等）等によって構成され、運転者等によって指定された短縮機能を実現するのに必要な短縮機能リストが格納される短縮機能メモリ１６と、操作パネル部３と信号の授受を行う入力インタフェース１７と、チューナ部５、ＣＤ装置１８、ｉＰｏｄ（登録商標）装置１９、Bluetooth装置２０等のソース側と信号の授受を行う入出力インタフェース２４と、ＬＣＤ表示器１１、フロントスピーカ群２２、リアスピーカ群２３に楽音信号を出力する出力インタフェース２５と、工場出荷段階で車載機器１を動作させるのに必要なプログラム等が格納されるプログラムメモリ２６と、データの一時的な記憶エリア、作業エリア等として使用されるＲＡＭ２７と、プログラムメモリ２６に格納されているプログラム、操作パネル部３の操作内容等に基づき基本機能メモリ１５、短縮機能メモリ１６、ＲＡＭ２７、入力インタフェース１７、入出力インタフェース２４、出力インタフェース２５等を使用して、ソース選択処理、機能選択処理、短縮機能登録処理（ショートカット機能登録処理）、短縮機能呼出し処理（ショートカット機能呼出し処理）、表示信号生成処理、楽音信号処理等を行うＣＰＵ２８と、を備えている。
【００１１】
そして、操作パネル部３の短縮機能キー９以外の各キー１０等が操作されたとき、ＣＰＵ２８によって通常動作が指定されていると判断されて、チューナ部５、ＣＤ装置１８、ｉＰｏｄ（登録商標）装置１９、Bluetooth装置２０のいずれかが選択され、指定された機能が実行される。これにより、ＬＣＤ表示器１１に現在の機能内容が表示されるとともに、フロントスピーカ群２２、リアスピーカ群２３から指定された音量の楽音が出力されたり、Bluetooth装置２０を介して送受話器２１を使用した通話が開始されたりする。
【００１２】
また、図３のフローチャートに示す如く操作パネル部３の短縮機能キー９が押されたとき（ステップＳＴ１でＹ）、ＣＰＵ２８によって、計時が開始されて、短縮機能キー９の押し時間が判定される（ステップＳＴ２）。
そして、予め設定された時間以上、短縮機能キー９が押され続けられたとき（長押しされたとき）（ステップＳＴ３）、ＣＰＵ２８によって短縮機能登録動作が指定されたと判断されて、短縮機能メモリ１６に格納されている短縮機能リストが読み出され、各短縮機能番号と、既存の各機能内容を示す機能名称とが対にされた登録形式で、ＬＣＤ表示器１１に表示される（ステップＳＴ４）。
【００１３】
また、この動作と並行し、ＣＰＵ２８によって、チューナ部５、ＣＤ装置１８、ｉＰｏｄ（登録商標）装置１９、Bluetooth装置２０のうち、現在、使用されているものがソースと判断されるとともに、現在、選択されている放送局名、曲がある階層、電話先を示す電話番号等が検知され、これらの判断結果、検知結果に基づき、ソース側が持っている情報、基本機能メモリ１５等が参照されて、このソースに対応するソース番号と、ソース選択から現在の機能に至るまでの操作手順と、現在の機能（例えば、放送局名、曲がある階層、電話先を示す電話番号等）を示す機能名称とを対にした短縮機能データが生成され、ＲＡＭ２７に一時、記憶される（ステップＳＴ５）。
この状態で、コマンドノブ８が回されると、コマンドノブ８から出力されるインクリメント信号、デクリメント信号の数に基づき、ＣＰＵ２８によって、コマンドノブ８の回転方向、回転量が検知されて、ＬＣＤ表示器１１に表示されている各短縮機能番号の中から、コマンドノブ８の回転方向、回転量に対応する１つの短縮機能番号が選択される（ステップＳＴ６）。
この後、コマンドノブ８が押されると（ステップＳＴ７でＹ）、ＣＰＵ２８によってこれが検知されて、現在選択されている短縮機能番号と、ＲＡＭ２７に一時的に記憶されているソース番号と、現在の機能に至るまでの操作手順と、機能名称とを対にした短縮機能データが生成され、短縮機能メモリ１６に格納されている短縮機能リストが更新される（ステップＳＴ８）。
【００１４】
また、図３のフローチャートに示す如く操作パネル部３の短縮機能キー９が１回だけ短く押されたとき（短押しされたとき）（ステップＳＴ１〜ＳＴ３）、ＣＰＵ２８によって短縮機能呼出し動作が指定されたと判断されて短縮機能メモリ１６に格納されている短縮機能リストが読み出され、各短縮機能番号と、各機能内容を示す機能名称とが対にされた呼出し形式で、ＬＣＤ表示器１１に表示される（ステップＳＴ９）。
この状態で、コマンドノブ８が回されると、コマンドノブ８から出力されるインクリメント信号、デクリメント信号の数に基づき、ＣＰＵ２８によってコマンドノブ８の回転方向、回転量が検知されてＬＣＤ表示器１１に表示されている各短縮機能番号の中から、コマンドノブ８の回転方向、回転量に対応する１つの短縮機能番号が選択される（ステップＳＴ１０）。
この後、コマンドノブ８が押されたとき（ステップＳＴ１１でＹ）、ＣＰＵ２８によって短縮機能メモリ１６が検索されて、短縮機能リストの中から現在、選択されている短縮機能番号を含む短縮機能データが読み出される（ステップＳＴ１２）。
【００１５】
そして、この短縮機能データで指定されたソース番号と操作手順とに基づき、ＣＰＵ２８によって、チューナ部５、ＣＤ装置１８、ｉＰｏｄ（登録商標）装置１９、Bluetooth装置２０の中から、ソース番号に対応するものがソースとして選択されるとともに、操作手順で指定された操作が実行される。
これにより、ＬＣＤ表示器１１に操作手順実行後の機能内容、電話番号等が表示されるとともに、フロントスピーカ群２２、リアスピーカ群２３から指定された音量の楽音が出力されたり、Bluetooth装置２０と、送受話器２１との間の回線が確立される（ステップＳＴ１３）。
【００１６】
このように、この形態例では、短縮機能キー９が長押しされたとき、コマンドノブ８で指定された短縮機能番号と、現在のソースを示すソース番号と、現在の機能までの操作手順と、現在の機能を示す機能名称とを対にした短縮機能データを作成して、短縮機能メモリ１６に登録し、短縮機能キー９が短押しされたとき、短縮機能メモリ１６に登録されている各短縮機能データの中から、コマンドノブ８で指定された短縮機能番号を含む短縮機能データを読み出して、この短縮機能データで指定されたソースを選択し、操作手順で指定された操作を自動的に実行させ、所望の機能を実現させるようにしているので、通常のキー操作手順で、各ソースが持つ各機能、例えば図４に示すようにBluetooth装置２０を指定し、通話先の電話番号“０９０−１２３４−５６７８”を設定した状態で、短縮機能キー９を長押して、コマンドノブ８で指定された短縮機能番号、例えば“１”に登録しておけば、短縮機能キー９を短押しして、コマンドノブ８を回し、ＬＣＤ表示器１１に表示されている各短縮番号の中から、短縮番号“１”を選択するだけで、図５に示すようにキー操作をショートカットさせて、Bluetooth装置２０に通話先の電話番号“０９０−１２３４−５６７８”を設定させることができる。
【００１７】
同様に、図６の表に示すように、使用頻度の高い機能を各短縮機能番号に登録しておけば、短縮機能キー９、コマンドノブ８を操作するだけで、使用頻度の高い機能をワンタッチで呼び出すことができる。
この結果、ソース数を増やしたり、操作パネル部３上のキー数を減らして、ＬＣＤ表示器１１を大きくさせたりデザイン性等を向上させたりして、通常の手順が多少複雑化した場合でも、短縮機能呼び出しで使用頻度の高い機能を簡単に呼び出すことができ、操作性の維持させることができる。
【００１８】
また、この形態では、短縮機能キー９、コマンドノブ８のみの操作で、現在使用中のソース、機能に対応するソース番号、操作手順、機能名称等を短縮機能登録させたり、短縮機能登録されたソース、操作手順等を呼び出したりするようにしているので、チューナ部５、ＣＤ装置１８、ｉＰｏｄ（登録商標）装置１９、Bluetooth装置２０等のようにソース数が多いときでも、操作性を低下させないようにすることができる。
また、上述した形態では、操作手順を登録する際、基本機能メモリ１５に登録されている操作手順等を使用させるようにしているが、運転者等が操作パネル部３を操作するとき、操作記録データ（操作ログ）を作成し、短縮機能登録時に操作記録データを使用して、操作手順を登録させるようにしても良い。
同様に、短縮機能登録される機能名称についても、運転者等が自由に変更できるようにしても良い。
【図面の簡単な説明】
【００１９】
【図１】本発明による車載機器の一形態を示す斜視図である。
【図２】図１に示す車載機器の回路構成例を示すブロック図である。
【図３】図１に示す車載機器の短縮機能登録動作、短縮機能呼出し動作例を示すフローチャートである。
【図４】図１に示す車載機器の通常操作手順例を示す模式図である。
【図５】図１に示す車載機器の短縮機能呼出し動作例を示す模式図である。
【図６】図１に示す車載機器の短縮機能登録例を示す表である。
【符号の説明】
【００２０】
１：車載機器、２：ケース、３：操作パネル部、４：メインコントローラ、５：チューナ部、６：コネクタ、７：操作パネル、８：コマンドノブ、９：短縮機能キー、１０：キー、１１：ＬＣＤ表示器、１５：基本機能メモリ、１６：短縮機能メモリ、１７：入力インタフェース、１８：ＣＤ装置、１９：ｉＰｏｄ（登録商標）装置、２０：Bluetooth装置、２１：送受話器、２２：フロントスピーカ群、２３：リアスピーカ群、２４：入出力インタフェース、２５：出力インタフェース、２６：プログラムメモリ、２７：ＲＡＭ、２８：ＣＰＵ（短縮機能登録部、短縮機能呼出し部）
【図１】
2010159016.tif 000003
【図２】
2010159016.tif 000004
【図３】
2010159016.tif 000005
【図４】
2010159016.tif 000006
【図５】
2010159016.tif 000007
【図６】
2010159016.tif 000008